(57)【特許請求の範囲】
【請求項１】
音声情報及び画像情報からなる映像コンテンツと、音声情報からなる音声コンテンツと、画像情報からなる画像コンテンツとを含む少なくとも３種類のコンテンツを再生するコンテンツ再生装置と、
前記コンテンツ再生装置に接続され、前記コンテンツ再生装置が再生するコンテンツをユーザへ出力するデバイスとを備え、
前記コンテンツ再生装置には、
前記コンテンツに含まれる画像が前記デバイスにより有効に表示可能であるか否かと、前記コンテンツに含まれる音声が前記デバイスにより有効に出力可能であるか否かとの組み合わせを、前記デバイスの駆動状況として認識する認識手段と、
前記認識された前記駆動状況に応じて、前記コンテンツ再生装置が再生するコンテンツの種類を制限する制御手段とが備えられ、
前記デバイスは、ヘッドマウントディスプレイであり、
前記制御手段は、前記ヘッドマウントディスプレイの画像表示器が前記ユーザにとって可視状態にあるか不可視状態にあるかを認識し、前記映像コンテンツ又は前記画像コンテンツの再生中に前記画像表示器が前記可視状態から前記不可視状態へと移行すると、前記コンテンツ再生装置が再生するコンテンツを前記音声コンテンツへと自動的に移行させる
ことを特徴とするコンテンツ再生システム。
【請求項２】
請求項１に記載のコンテンツ再生システムにおいて、
前記制御手段は、
前記デバイスによる前記画像の表示が無効であるときには、前記コンテンツ再生装置の画像再生に関する部分と、前記デバイスの画像表示に関する部分との少なくとも一部の動作を制限する
ことを特徴とするコンテンツ再生システム。
【請求項３】
請求項２に記載のコンテンツ再生システムにおいて、
前記コンテンツ再生装置には、
前記画像の再生に関する情報を表示する情報表示部が備えられ、
前記制御手段は、
前記デバイスによる前記画像の表示が無効であるときには、前記デバイスの画像表示に関する部分の動作を制限し、かつ、前記デバイスによる前記画像の表示が有効であるときには、前記情報表示部の動作を制限する
ことを特徴とするコンテンツ再生システム。
【請求項４】
請求項１〜請求項３の何れか一項に記載のコンテンツ再生システムにおいて、
ユーザからの指示を入力する指示入力手段を更に備え、
前記制御手段は、
前記デバイスによる前記画像の表示が無効であるときには、前記指示入力手段の入力対象から前記画像の再生に関する指示を排除する
ことを特徴とするコンテンツ再生システム。
【請求項５】
請求項４に記載のコンテンツ再生システムにおいて、
前記コンテンツ再生装置は、
前記画像コンテンツと、前記映像コンテンツと、前記音声コンテンツとを格納可能な格納手段を備え、
前記制御手段は、
前記デバイスによる前記画像の表示が無効であるときには、前記指示入力手段の入力対象から前記画像コンテンツ及び前記映像コンテンツの再生に関する指示を排除する
ことを特徴とするコンテンツ再生システム。
【請求項６】
請求項５に記載のコンテンツ再生システムにおいて、
前記制御手段は、
前記デバイスによる前記画像の表示が有効から無効へと移行したときに、前記格納手段の中から過去に再生された音声コンテンツを自動的に選択する
ことを特徴とするコンテンツ再生システム。
【請求項７】
請求項６に記載のコンテンツ再生システムにおいて、
前記選択される前記音声コンテンツは、
過去の同じ時間帯に再生された音声コンテンツである
ことを特徴とするコンテンツ再生システム。
【請求項８】
請求項１〜請求項７の何れか一項に記載のコンテンツ再生システムにおいて、
前記コンテンツ再生装置は、
前記画像コンテンツ及び前記映像コンテンツを格納可能な格納手段を備え、
前記制御手段は、
前記画像コンテンツ又は前記映像コンテンツの再生中、前記デバイスによる前記画像の表示が有効から無効へと移行すると、その時点の再生位置を記憶し、その後、前記デバイスによる前記画像の表示が無効から有効へと移行すると、前記記憶した前記再生位置から改めて前記画像コンテンツ又は前記映像コンテンツを再生する
ことを特徴とするコンテンツ再生システム。
【請求項９】
請求項８に記載のコンテンツ再生システムにおいて、
前記制御手段は、
前記デバイスによる前記画像の表示が無効であるときにも、前記画像コンテンツ又は前記映像コンテンツの再生を継続する
ことを特徴とするコンテンツ再生システム。
【請求項１０】
請求項１〜請求項９の何れか一項に記載のコンテンツ再生システムにおいて、
前記制御手段は、
前記デバイスによる前記音声の出力が無効であるときには、前記コンテンツ再生装置の前記音声の再生に関する部分の少なくとも一部の動作を制限する
ことを特徴とするコンテンツ再生システム。
【請求項１１】
請求項１〜請求項１０の何れか一項に記載のコンテンツ再生システムにおいて、
ユーザからの指示を入力する指示入力手段を更に備え、
前記制御手段は、
前記デバイスによる前記音声の出力が無効であるときには、前記指示入力手段の入力対象から前記音声の再生に関する指示を排除する
ことを特徴とするコンテンツ再生システム。
【請求項１２】
請求項１１に記載のコンテンツ再生システムにおいて、
前記コンテンツ再生装置は、
前記画像コンテンツと、前記映像コンテンツと、前記音声コンテンツとを格納可能な格納手段を備え、
前記制御手段は、
前記デバイスによる前記音声の出力が無効であるときには、前記指示入力手段の入力対象から前記音声コンテンツ及び前記映像コンテンツの再生に関する指示を排除する
ことを特徴とするコンテンツ再生システム。
【請求項１３】
請求項１に記載のコンテンツ再生システムにおいて、
前記デバイスは、
前記コンテンツ再生装置にデータを供給する
ことを特徴とするコンテンツ再生システム。
【発明の詳細な説明】
【技術分野】
【０００１】
本発明は、ヘッドマウントディスプレイその他のデバイスと、コンテンツを再生するコンテンツ再生装置とを具備するコンテンツ再生システムに関する。
【背景技術】
【０００２】
最新の電子技術が適用された携帯型メディアプレーヤは、低廉化および小型化に併せて、低消費電力を実現可能であるとの理由で広く普及しつつある。近年のメディアプレーヤには、情報量の多い画像情報を記憶可能な小型の記憶媒体と、圧縮符号化技術とが組み合わせられている。これによって、多様なコンテンツの再生が可能となる。
また、メディアプレーヤに接続可能なデバイスとしては、ユーザのニーズに柔軟に対応するため、ヘッドホンやイヤホンだけでなく、ニアアイディスプレイ装置等のようなヘッドマウントディスプレイ（以下、「ＨＭＤ」という。）も開発されている。ＨＭＤは、ユーザの頭部に着脱可能なデバイスであり、ユーザの眼前より網膜に映像を投影することができる。ユーザは、メディアプレーヤにＨＭＤを接続し、そのＨＭＤを頭部へ装着し、さらにメディアプレーヤの操作部を操作することで、映画や音楽クリップのような画像を含むコンテンツを鑑賞することができる。
【特許文献１】特開平１０−１３３８４０号公報
【発明の開示】
【発明が解決しようとする課題】
【０００３】
ところで、この操作は、ＨＭＤやコンテンツの組み合わせに応じて行われる必要がある。しかし、メディアプレーヤは多くの機能を有し、また、そのメディアプレーヤ内の記憶媒体には多数の様々なコンテンツが格納されるので、上述した操作は煩雑となり、必ずしも適切には行われなかった。
本発明は、コンテンツ再生装置とデバイスとの整合が柔軟に、かつ効率的に図られるコンテンツ再生システムを提供することを目的とする。
【課題を解決するための手段】
【０００４】
本発明のコンテンツ再生システムは、音声情報及び画像情報からなる映像コンテンツと、音声情報からなる音声コンテンツと、画像情報からなる画像コンテンツとを含む少なくとも３種類のコンテンツを再生するコンテンツ再生装置と、前記コンテンツ再生装置に接続され、前記コンテンツ再生装置が再生するコンテンツをユーザへ出力するデバイスとを備え、前記コンテンツ再生装置には、前記コンテンツに含まれる画像が前記デバイスにより有効に表示可能であるか否かと、前記コンテンツに含まれる音声が前記デバイスにより有効に出力可能であるか否かとの組み合わせを、前記デバイスの駆動状況として認識する認識手段と、前記認識された前記駆動状況に応じて、前記コンテンツ再生装置が再生するコンテンツの種類を制限する制御手段とが備えられ、前記デバイスは、ヘッドマウントディスプレイであり、前記制御手段は、前記ヘッドマウントディスプレイの画像表示器が前記ユーザにとって可視状態にあるか不可視状態にあるかを認識し、前記映像コンテンツ又は前記画像コンテンツの再生中に前記画像表示器が前記可視状態から前記不可視状態へと移行すると、前記コンテンツ再生装置が再生するコンテンツを前記音声コンテンツへと自動的に移行させることを特徴とする。
【０００５】
また、前記制御手段は、前記デバイスによる前記画像の表示が無効であるときには、前記コンテンツ再生装置の画像再生に関する部分と、前記デバイスの画像表示に関する部分との少なくとも一部の動作を制限してもよい。
【０００６】
また、前記コンテンツ再生装置には、前記画像の再生に関する情報を表示する情報表示部が備えられ、前記制御手段は、前記デバイスによる前記画像の表示が無効であるときには、前記デバイスの画像表示に関する部分の動作を制限し、かつ、前記デバイスによる前記画像の表示が有効であるときには、前記情報表示部の動作を制限してもよい。
また、本発明の何れかのコンテンツ再生装置は、ユーザからの指示を入力する指示入力手段を更に備え、前記制御手段は、前記デバイスによる前記画像の表示が無効であるときには、前記指示入力手段の入力対象から前記画像の再生に関する指示を排除してもよい。【０００７】
また、前記コンテンツ再生装置は、前記画像コンテンツと、前記映像コンテンツと、前記音声コンテンツとを格納可能な格納手段を備え、前記制御手段は、前記デバイスによる前記画像の表示が無効であるときには、前記指示入力手段の入力対象から前記画像コンテンツ及び前記映像コンテンツの再生に関する指示を排除してもよい。
また、前記制御手段は、前記デバイスによる前記画像の表示が有効から無効へと移行したときに、前記格納手段の中から過去に再生された音声コンテンツを自動的に選択してもよい。
【０００８】
また、前記選択される前記音声コンテンツは、過去の同じ時間帯に再生された音声コンテンツであってもよい。
また、前記コンテンツ再生装置は、前記画像コンテンツ及び前記映像コンテンツを格納可能な格納手段を備え、前記制御手段は、前記画像コンテンツ又は前記映像コンテンツの再生中、前記デバイスによる前記画像の表示が有効から無効へと移行すると、その時点の再生位置を記憶し、その後、前記デバイスによる前記画像の表示が無効から有効へと移行すると、前記記憶した前記再生位置から改めて前記画像コンテンツ又は前記映像コンテンツを再生してもよい。
【０００９】
また、前記制御手段は、前記デバイスによる前記画像の表示が無効であるときにも、前記画像コンテンツ又は前記映像コンテンツの再生を継続してもよい。
なお、前記制御手段は、前記デバイスによる前記音声の出力が無効であるときには、前記コンテンツ再生装置の前記音声の再生に関する部分の少なくとも一部の動作を制限してもよい。
【００１０】
また、本発明の何れかのコンテンツ再生装置は、ユーザからの指示を入力する指示入力手段を更に備え、前記制御手段は、前記デバイスによる前記音声の出力が無効であるときには、前記指示入力手段の入力対象から前記音声の再生に関する指示を排除してもよい。
また、前記コンテンツ再生装置は、前記画像コンテンツと、前記映像コンテンツと、前記音声コンテンツとを格納可能な格納手段を備え、前記制御手段は、前記デバイスによる前記音声の出力が無効であるときには、前記指示入力手段の入力対象から前記音声コンテンツ及び前記映像コンテンツの再生に関する指示を排除してもよい。
【００１１】
また、前記デバイスは、前記コンテンツ再生装置にデータを供給してもよい。
【発明の効果】
【００１２】
本発明が適用された装置やシステムでは、操作の大幅な簡略化が図られ、ユーザの利便性が高められる。
【図面の簡単な説明】
【００１３】
【図１】第一の実施形態の電気的構成を示す図である。
【図２】第一の実施形態の機械的構成を示す図である。
【図３】第三の実施形態の簡単な電気的構成を図である。
【図４】第三の実施形態の制御部１２の動作フローチャートである。
【図５】ＨＭＤ３０が可視状態にあるときの様子を示す図である。
【図６】ＨＭＤ３０が不可視状態にあるときの様子を示す図である。
【図７】第四の実施形態の制御部１２の動作フローチャート（ムービーモード中の動作フローチャート）である。
【図８】図７の動作フローチャートの一部を変形したものである。
【図９】第五の実施形態の電気的構成を示す図である。
【発明を実施するための最良の形態】
【００１４】
［第一の実施形態］
以下、図面に基づいて本発明の第一の実施形態（コンテンツ再生システム）について詳細に説明する。
先ず、本実施形態の電気的構成を説明する。
図１は、第一の実施形態の電気的構成を示す図である。図１に示すとおり、コンテンツ再生システムには、ターミナル１０、ＨＭＤ３０、クレードル４０などが備えられる。このうち、ターミナル１０が既述のメディアプレーヤに該当する。なお、ＨＭＤ３０の代わりに、他のデバイスが使用されることもあるが、ここでは、ＨＭＤ３０を主として説明する。【００１５】
ターミナル１０には、接栓座１０Ｊと接栓１０Ｐとが設けられ、ＨＭＤ３０には接栓３１Ｐが設けられ、クレードル４０には接栓座４１Ｊが設けられる。ターミナル１０とＨＭＤ３０とは、接栓座１０Ｊおよび接栓３１Ｐを介して接続される。また、ターミナル１０
とクレードル４０とは、接栓１０Ｐおよび接栓座４１Ｊを介して接続される。
先ず、ターミナル１０の電気的構成及び各部の接続関係を説明する。【００１６】
ターミナル１０の接栓座１０Ｊのピンは、Ｐグループ、ＳグループおよびＣグループのピンから構成される。Ｐグループのピンは、ＨＭＤ３０に出力される画像信号の引き渡しに用いられ、Ｓグループのピンは、ＨＭＤ３０に出力される音声信号の引き渡しに用いられ、Ｃグループのピンは、ＨＭＤ３０が出力する制御情報の引き渡しに用いられる。なお、これらのグループの識別子「Ｐ」、「Ｓ」、「Ｃ」は、それぞれ"Picture"，"Sound"，"Control" の頭文字である。【００１７】
また、ターミナル１０の接栓１０Ｐのピンは、Ｐｉグループ、Ｓｉグループ、ＣioグループおよびＰＳｉグループのピンから構成される。Ｐｉグループのピンは、録画や再生の対象となるコンテンツに含まれる画像信号の引き渡しに用いられ、Ｓｉグループのピンは、同様のコンテンツに含まれる音声信号の引き渡しに用いられ、Ｃioグループのピンは、ターミナル１０の動作の設定や監視にかかわる制御信号の引き渡しに用いられ、ＰＳｉグループのピンは、上述した電源回路１７に供給される電力の引き渡しに用いられる。なお、これらのグループの識別子「Ｐｉ」、「Ｓｉ」、「Ｃio」、「ＰＳｉ」は、それぞれ"Picture"，"Sound"，"Control"，"Power Supply" の頭文字に該当する大文字と、ターミナル１０を基準とする上記の引き渡しの方向を示す"input"，"output"，"input/output"を
意味する小文字とから構成される。【００１８】
接栓座１０Ｊのピンの内、Ｃグループのピンは接続検出部１１の入力に接続され、その接続検出部１１の出力は制御部１２の第一の入力ポートに接続される。制御部１２の第二の入力ポートには操作部１３の出力が接続され、その制御部１２の第一の出力ポートは信号処理部１４の第一の入力ポートに接続される。これらの制御部１２および信号処理部１４のバス端子は、記憶部１５の対応するポートに接続される。なお、記憶部１５は、例えば、所定の領域管理の下でアクセスされるハードディスク装置やＩＣメモリとして構成される。信号処理部１４の第一の出力ポートは、表示部１６の第一の入力に接続される。表示部１６の第二の入力には制御部１２の第二の出力ポートが接続され、その制御部１２の第三の出力は電源回路１７の制御端子に接続される。【００１９】
また、接栓１０Ｐのピンの内、Ｐｉグループのピンはビデオ入力処理部１８の入力に接続され、Ｓｉグループのピンは、音声入力処理部１９の入力に接続される。これらのビデオ入力処理部１８および音声入力処理部１９の出力は、信号処理部１４の第二および第三の入力ポートにそれぞれ接続される。信号処理部１４の第二の出力ポートは、ビデオ出力処理部２０を介して接栓座１０ＪのＰグループのピンに接続される。信号処理部１４の第三の出力ポートは、音声出力処理部２１を介して接栓座１０ＪのＳグループのピンに接続される。接栓１０ＰのＣioグループのピンは制御部１２の入出力ポートに接続され、その接栓１０ＰのＰＳｉグループのピンは電源回路１７の入力に接続される。【００２０】
次に、ＨＭＤ３０の電気的構成及び各部の接続関係を説明する。
ＨＭＤ３０には、前述したとおり、ターミナル１０との電気的な接続を実現する接栓３１Ｐの他に、表示器３２、ヘッドホン３３Ｌ、３３Ｒ、操作部３４、及びＨＭＤを制御するＨＭＤ制御部３５等が備えられる。
表示器３２およびヘッドホン３３Ｌ、３３Ｒは、接栓３１Ｐのピンの内、既述のＰグループおよびＳグループに対応するピンにそれぞれ接続される。ＨＭＤ制御部３５は、接栓３１Ｐおよびターミナル１０の接栓座１０Ｊの対応するピンを介して、ターミナル１０の制御部１２の特定の入出力ポートに接続される。操作部３４の出力は、接栓３１Ｐのピンの内、既述のＣグループに対応するピンの一部に接続される。【００２１】
そのＣグループの残りピン（以下、「サブＣグループのピン」という。）は、図１の右上部に拡大されて示されるように、ＨＭＤ３０の構成（種別も含む）に対応した組み合わせに応じて予め接地される。これらのサブＣグループのピンは、上記の接地の基準となるアース端子ＧＮＤに併せて、ターミナル１０に対する二値情報の引き渡しに個別に用いられる。この二値情報により、ターミナル１０は、ターミナル１０の接栓座１０Ｊに接続されたデバイス（以下、「被接続デバイス」という。）の構成を識別することが可能になる。他のデバイスとの区別のため、前記二値情報は、例えば、以下の各二値情報によって構成される。
(a) 被接続デバイスが、画像信号のみの再生が可能なデバイスｈｍｄ（以下、「ヘッドマウントディスプレイ」という。）であるか否かを示す第一の二値情報。
(b) 被接続デバイスが、画像信号と音声信号との双方の出力が可能なデバイスｈｍｄ・ｈｐ（以下、「ヘッドマウントディスプレイ・ヘッドホン」）であるか否かを示す第二の二値情報。
(c)被接続デバイスが、 音声信号のみの再生が可能なデバイスｈｐ（以下、「ヘッドホン」という。）であるか否かを示す第三の二値情報。
(d) 被接続デバイスが、既述の操作部３４に相当する操作部ｏｐを含んでいるか否かを示す第四の二値情報。【００２２】
因みに、ＨＭＤ３０は、ヘッドホンと表示器との双方を含むので、ヘッドマウントディスプレイ・ヘッドホン（ｂ）である。
なお、本実施形態のターミナル１０には、１つの被接続デバイス（図１ではＨＭＤ３０）が直接接続されているが、このような被接続デバイス（図１ではＨＭＤ３０）は、例えば、図１のほぼ右中央部に二点鎖線の枠で示されるリモコン５０を介して接続されてもよい。また、ターミナル１０には、複数の被接続デバイスが直列に接続されてもよい。また、これらの複数の被接続デバイスは、１つまたは複数の接栓座（ターミナル１０に接線座１０Ｊと共に備えられる）を介して並列に接続されてもよい。【００２３】
なお、上述したリモコン５０は、被接続デバイス（図１ではＨＭＤ３０）の操作部に相当する操作部５２と、ターミナル１０の接栓座１０Ｊに適合した接栓５１Ｐと、被接続デバイス（図１ではＨＭＤ３０）の接栓３１Ｐその他の被接続デバイスとの接続に適した接栓座５１Ｊとを備える。操作部５２、接栓５１Ｐ、接栓座５１Ｊは、３者間の中継を実現する布線を介して接続される。また、このようなリモコン５０には、ターミナル１０の表示部１６に相当する表示器が併せて備えられてもよい。【００２４】
次に、クレードル４０の電気的構成及び各部の接続関係を説明する。
クレードル４０の接栓座４１Ｊは、ターミナル１０の接栓１０Ｐを介してターミナル１０との電気的な接続を実現する。その接栓座４１Ｊのピンの内、既述のＰｉグループ、Ｓｉグループ、ＣioグループおよびＰＳｉグループに対応するピンには、ビデオ入力端子４２、音声入力端子４３、制御入出力端子４４および電源入力端子４５がそれぞれ接続される。これらの端子を介してクレードル４０は情報端末（コンピュータなど）に接続可能である。【００２５】
次に、本実施形態の電気的構成要素の基本的な動作を説明する。ここでは、ターミナル１０の被接続デバイスがＨＭＤ３０であり、リモコン５０が利用されない場合について説明する。
ターミナル１０に備えられた電源回路１７は、図示されないバッテリを有し、クレードル４０から供給される電力を、そのバッテリに蓄積する。このとき電力は、クレードル３０に備えられた電源入力端子４５、クレードル３０の接栓座４１Ｊ、ターミナル１０の接栓１０Ｐを順に介して電源回路１７へと供給される。さらに、電源回路１７は、このようにしてバッテリに蓄積された電力を、ターミナル１０の各部に駆動電力として供給し、かつＨＭＤ３０にも駆動電力を供給する。このうち、ＨＭＤ３０への駆動電力は、ターミナル１０の接栓座１０Ｊの所定のピンと、ＨＭＤ３０の接栓３１Ｐの所定のピンとを介して供給される。【００２６】
クレードル４０のビデオ入力端子４２には、情報端末から画像信号が入力される。この画像信号は、クレードル４０の接栓座４１Ｊおよびターミナル１０の接栓１０Ｐを介してターミナル１０のビデオ入力処理部１８へ入力される。ビデオ入力処理部１８は、その画像信号にＡ／Ｄ変換その他の処理を施すことによってディジタル画像情報を生成し、そのディジタル画像情報を信号処理部１４に与える。【００２７】
クレードル４０の音声入力端子４３には、情報端末から音声信号が入力される。この音声信号は、クレードル４０の接栓座４１Ｊおよびターミナル１０の接栓１０Ｐを介してターミナル１０の音声入力処理部１９へ入力される。音声入力処理部１９は、その音声信号にＡ／Ｄ変換その他の処理を施すことによってディジタル音声情報を生成し、そのディジタル音声情報を信号処理部１４に与える。【００２８】
ターミナル１０の制御部１２は、下記の指示や状態の全てまたは一部に応じて、所定の処理を行い、かつ必要に応じて信号処理部１４に信号処理を指定する。
(a) ターミナル１０の操作部１３を介してユーザが与える指示。
(b) クレードル４０の制御入出力端子４４を介して情報端末（パソコンその他）から与えられる指示。
(c) ＨＭＤ３０の操作部３４がユーザによって操作されたときにＨＭＤ３０から引き渡されるＨＭＤ３０の状態に関する情報。【００２９】
なお、情報（ｃ）は、接栓３１Ｐ、接栓座１０Ｊおよび接続検出部１１を介して制御部１２へと引き渡される。
このようにして得られた指示や情報に基づいて制御部１２は信号処理部１４などの各部を制御する。信号処理部１４は、制御部１２からの制御を受け、例えば、上記の画像情報と音声情報との双方または何れか一方（以下、単に「ディジタルコンテンツ」という。）を適切なファイルフォーマットで記憶部１５に蓄積する。【００３０】
ここで、ディジタルコンテンツの種類には、例えば、音声情報と画像情報（動画像情報）とを含む音声付き映像コンテンツと、音声情報のみを含む音声コンテンツと、画像情報（静止画像情報）のみを含む画像コンテンツなどがあるが、ここでは、記憶部１５に蓄積されたディジタルコンテンツが、音声付き映像コンテンツであった場合の処理を説明する。【００３１】
信号処理部１４は、その記憶部１５に既に蓄積されている所望のディジタルコンテンツ（ここでは音声付き映像コンテンツ）を読み出すと、そのディジタルコンテンツ（ここでは音声付き映像コンテンツ）に含まれる画像情報をビデオ出力処理部２０に引き渡し、そのディジタルコンテンツ（ここでは音声付き映像コンテンツ）に含まれる音声情報を音声出力処理部２１に引き渡す。なお、記憶部１５に対する書き込みおよび読み出しの対象となる記憶領域は、信号処理部１４または制御部１２が行う領域管理の下で定まる。【００３２】
ビデオ出力処理部２０は、上述した画像情報にＤ／Ａ変換その他の処理を施すことによって画像のアナログ信号を生成し、かつＨＭＤ３０に対し、このようなアナログ信号を引き渡す。また、音声出力処理部２１は、上述した音声情報にＤ／Ａ変換その他の処理を施すことによって音声のアナログ信号を生成し、かつＨＭＤ３０に対し、このようなアナログ信号を引き渡す。これらの画像及び音声のアナログ信号（ここでは音声付き映像コンテンツ）の引き渡しは、ターミナル１０の接栓座１０ＪおよびＨＭＤ３０の接栓３１Ｐを介して行われる。【００３３】
ＨＭＤ３０では、表示器３２やヘッドホン３３Ｌ、３３Ｒを介してユーザに、ターミナル１０から出力されたコンテンツ（ここでは音声付き映像コンテンツ）を提供する。このとき、ターミナル１０から引き渡された音声のアナログ信号は、ヘッドホン３３Ｌ，３３Ｒへ与えられ、ターミナル１０から引き渡された画像のアナログ信号は、表示器３２へ与えられる。【００３４】
また、ＨＭＤ３０のＨＭＤ制御部３５は、ヘッドホン３３Ｌ、３３Ｒの出力を制御する図示されていないボリュームを制御している。このボリュームの制御は、操作部３４の操作内容に応じて行われる。したがって、ユーザは、操作部３４を適切に操作することにより、ヘッドホン３３Ｌ，３３Ｒから発せられる音声の音量を変更することが可能である。
また、ターミナル１０の信号処理部１４は、ターミナル１０の表示部１６と、ＨＭＤ３０の表示器３２との双方または何れか一方に、例えば以下の情報を画像として出力することもできる。
(a) 記憶部１５に蓄積されるディジタルコンテンツのコンテンツ情報。
(b)ユーザへ通知されるべきメッセージ。【００３５】
なお、メッセージ（ｂ）は、ターミナル１０の操作部１３の操作内容や、ＨＭＤ３０の操作部３４の操作内容や、ＨＭＤ３０の表示器３２の移動などの「本システムの操作」に応じてユーザに通知されるものである。
以下、コンテンツ情報（ａ）やメッセージ（ｂ）の表示された画面を、「操作メニュー」と称す。この操作メニューを目視しながら、ユーザは、再生開始などの適切な指示をターミナル１０へ与えることができる。【００３６】
なお、ターミナル１０の表示部１６には、このような操作メニューに加え、コンテンツに含まれる画像が表示可能であっても構わないが、ここでは簡単のため、操作メニューのみが表示されるものとする。
次に、本実施形態の機械的構成を説明する。
ここでも、ターミナル１０の被接続デバイスがＨＭＤ３０であり、リモコン５０が利用されない場合について説明する。【００３７】
図２(a) はコンテンツ再生システムの全体構成図であり、図２(b) はＨＭＤ３０を構成する収納ケース６５の一部断面図である。
図２（ａ）に示すとおり、ＨＭＤ３０において、ヘッドホン３３Ｌ、３３Ｒはヘッドホンアーム６１の両端に取り付けられる。ヘッドホンアーム６１は、弧状に成形された部材からなる。表示器３２は、ディスプレイアーム６４の一端に取り付けられる。ディスプレイアーム６４は、所定の曲率で成形されてなる。そのディスプレイアーム６４の他端は、収納ケース６５によって保持される。この収納ケース６５は、図２（ｂ）に示すとおり、ディスプレイアーム６４が収納可能な中空部６５Ｓと、その中空部６５Ｓに配置された複数の軸受からなる案内部材６５Ｇとを有する。さらに、図２（ａ）に示すとおり、収納ケース６５の側壁には、ヘッドホン３３Ｌに係合可能であってケーブル接続部６３を兼ねる支持部材６５Ａが備えられる。また、支持部材６５Ａと収納ケース６５との間には、ディスプレイアーム６４を矢印方向に回動可能な関節機構が備えられている。なお、このケーブル接続部６３は、既述の接栓３１Ｐ（図２では不図示）、ケーブル６２、接栓座１０Ｊ（図２では不図示）を介してターミナル１０に接続される。これによって、ＨＭＤ３０の表示器３２は、ターミナル１０（ターミナル１０のビデオ出力処理部２０の出力）に接続されることになる。その接続は、ディスプレーアーム６４の内部および収納ケース６５の中空部６５Ｓを介してケーブル接続部６３の内部に至る布線と、ケーブル６２の芯線の内、既述のＰグループのピンに割り付けられた芯線とが、ケーブル接続部６３の内部で結合することによって図られる。【００３８】
また、ＨＭＤ３０のＨＭＤ制御部３５（図２では不図示）は、例えば、ケーブル接続部６３の内部に配置される。さらに、そのＨＭＤ制御部３５は、案内部材６５Ｇに沿ったディスプレイアーム６４の可動に必要な動力を与えるモータ６５Ｍと、そのディスプレイアーム６４の位置を検出するセンサ（図示されない。）とに、上述した布線を介して接続される。また、支持部材６５Ａと収納ケース６５との間に備えられた関節機構部分にも、不図示のセンサを有し、ＨＭＤ制御部３５に接続されている。【００３９】
そして、ＨＭＤ制御部３５は、センサによりディスプレイアーム６４が収納ケース６５に収納された状態か否か、表示器３２がユーザの眼前にある状態か否かなどを検出し、センサからの結果と制御部１２からの指示に応じて、モータ６５Ｍを制御したり、表示器３２を眼前に移動させる様に音声等のメッセージを音声出力処理部に出力したりする。
このようなＨＭＤ制御部３５によるディスプレイアーム６４の繰り出しおよび収納のタイミングは、操作部３４の操作内容により決定される。したがって、ユーザは、操作部３４を適切に操作することにより、ディスプレイアーム６４の繰り出しおよび収納を所望のタイミングで行うことができる。【００４０】
次に、図１に基づき本実施形態の特徴動作を説明する。
本実施形態の特徴は、ターミナル１０において制御部１２および信号処理部１４が行う下記の処理にある。この処理は、接続検出部１１との連係の下で行われる。
ターミナル１０では、接続検出部１１および制御部１２は、被接続デバイスの構成が下記の何れに該当するかを識別する。
(ａ) 操作部を備えないヘッドマウントディスプレイ。
(ｂ)操作部を備えないヘッドマウントディスプレイ・ヘッドホン。
(ｃ)操作部を備えないヘッドホン。
(ｄ) 被接続デバイスの接続は無し。
(ａ’) 操作部を備えたヘッドマウントディスプレイ。
(ｂ’)操作部を備えたヘッドマウントディスプレイ・ヘッドホン。
(ｃ’)操作部を備えたヘッドホン。【００４１】
因みに、被接続デバイスがＨＭＤ３０であるときには、操作部を備えたヘッドマウントディスプレイ・ヘッドホン（ｂ’）に該当すると識別される。
この識別は、被接続デバイスの上述したサブＣグループに属するピンの状態（またはそのピンの組み合わせ）に基づいて行われる。なお、各種の被接続デバイスは、何れも接栓座１０Ｊに整合する接栓を有し、共通のピン配置に基づいて接続される。また、各種の被接続デバイスにおいて、ピンの接地は、被接続デバイスに設けられた配線パターン等により施される。【００４２】
また、被接続デバイスが操作部を備えているか否かに関しては、既述の第四の二値情報に基づき判別される。また、被接続デバイスの種別に関しては、既述の第一ないし第三の二値情報の論理値に基づいて識別される（二値情報は、被接続デバイスから接栓座１０Ｊおよび接続検出部１１を介して制御部１２へ引き渡される）。
仮に、被接続デバイスに操作部が含まれる場合（（ａ’），（ｂ’），（ｃ’））は、制御部１２は、被接続デバイスの操作部およびターミナル１０の操作部１３の各操作内容に基づいてターミナル１０や被接続デバイスの各部の制御を行う。但し、被接続デバイスがリモコンを介してターミナル１０に接続された場合、制御部１２は、被接続デバイスの操作部、ターミナル１０の操作部１３、リモコンの操作部の各操作内容に基づいてターミナル１０や被接続デバイスの各部の制御を行う。【００４３】
しかし、反対に、被接続デバイスに操作部が含まれない場合（（ａ），（ｂ），（ｃ））には、制御部１２は、ターミナル１０に備えられた操作部１３のみの操作内容に基づいてターミナル１０や被接続デバイスの各部の制御を行う。但し、被接続デバイスがリモコンを介してターミナル１０に接続された場合、制御部は、ターミナル１０の操作部１３、リモコンの操作部の各操作内容に基づいてターミナル１０や被接続デバイスの各部の制御を行う。【００４４】
つまり、ユーザは、被接続デバイスの操作部、リモコンの操作部、ターミナル１０の操作部１３の何れか１つを操作することにより、ターミナル１０に対し指示を与えることができる。
さらに、制御部１２は、このようにして識別された被接続デバイスの構成（種別）と、ユーザによって与えられた指示（例えば、被接続デバイスの各部にユーザが触れることによって、音声情報や画像情報が再生可能となったことを示す通知）とに基づいて、その被接続デバイスの有効な構成および状態を識別する。【００４５】
例えば、制御部１２は、被接続デバイスが、操作部を備えたヘッドマウントディスプレイ（ａ’）、又は操作部を備えたヘッドマウントディスプレイ・ヘッドホン（ｂ’）であるとき、その被接続デバイスの操作部の操作内容に基づき、被接続デバイスによる画像情報の出力が有効であるか否かを判別する。画像情報の出力が有効な状態とは、被接続デバイスの表示器がユーザの目に正対し、そのユーザの網膜に対する画像情報の投影が可能な状態である。以下、この状態を、「可視状態」という。【００４６】
また、制御部１２は、被接続デバイスが操作部を備えたヘッドホン（ｃ’）、又は操作部を備えたヘッドマウントディスプレイ・ヘッドホン（ｂ’）であるときに、その被接続デバイスの操作部の操作内容に基づき、被接続デバイスによる音声情報の出力が有効であるか否かを判別する。音声情報の出力が有効な状態とは、ヘッドホンのボリュームが「０」以外の値に設定され、ユーザの耳へ音声を発することが可能な状態である。以下、この状態を「可聴状態」という。【００４７】
さらに、本実施形態の制御部１２は、被接続デバイスが可視状態であるか否かによって異なる動作をし、また、被接続デバイスが可聴状態であるか否かによっても異なる動作をする。
次に、制御部１２の動作を詳細に説明する。
ここでも、被接続デバイスがＨＭＤ３０であり、リモコン５０は利用されない場合について説明する。また、ディスプレイアーム６４の繰り出し／収納の操作の機能は、ＨＭＤ３０の操作部３４だけでなく、ターミナル１０の操作部１３にも割り付けられているものとする。また、ターミナル１０の操作部１３には、各種コンテンツの再生操作の機能、ＨＭＤ３０のヘッドホン３３Ｌ，３３Ｒに対する音質及び音量可変操作の機能、ＨＭＤ３０の表示器３２に対する画質調整の機能、表示器３２に対する明るさ調整の機能等も割り付けられているものとする。【００４８】
（ＨＭＤ３０が可視状態から不可視状態へ移行したときの制御部１２の動作）
ＨＭＤ３０のディスプレイアーム６４が収納ケース６５に収納されている状態においては、制御部１２はＨＭＤ制御部３５から送られる信号を基に、表示器３２が不可視状態にあることを認識している。このような状態において、制御部１２は、表示器３２の画像信号出力に関する部分を制御対象から外す。具体的には、ビデオ出力処理部２０の駆動停止、及び電源回路１７からビデオ出力処理部２０への電力供給の停止を行なう。そして、停止が確認された部分を制御対象から外す。また、制御部１２は、ＨＭＤ制御部３５に対し、ＨＭＤ３０の表示器３２への電力供給を停止させる。これらの制御により、消費電力の低減と制御部１２の負荷の低減が達成する。【００４９】
更に、制御部１２は、ビデオ入力処理部１８への電力供給を開始するように電源回路１７へ指示し、そして、制御部１２はビデオ入力処理部１８の制御を開始する。このようにして、録画可能状態にしておくことで、映像を見ていない状態では、映像が記録できるように制御している。
また、次のような制御も制御部１２が行なう。ターミナル１０の操作部１３へ入力された操作のうち、ディスプレイアーム６４への繰り出し操作、音声コンテンツの再生操作、音質及び音量可変操作、表示部１６への表示に関する操作などを受け付け、一方、ＨＭＤ３０の表示器３２に関する操作を受け付けないようになっている。具体的には、ＨＭＤ３０の表示器３２への画質、明るさに関する調整や、音声付き映像コンテンツおよび画像コンテンツの再生操作が実行不可能又は入力指示不可能とするように、操作部１３、３４の機能や、表示部１６に表示する操作メニューの内容を変えている。【００５０】
（ＨＭＤ３０が不可視状態から可視状態へ移行したときの制御部１２の動作）
ＨＭＤ３０のディスプレイアーム６４が繰り出され、ＨＭＤ３０の表示器３２が可視状態になったことをＨＭＤ制御部３５が認識すると、その情報を含んだ信号を制御部１２に送信する。制御部１２はこれを受け、電源回路１７にビデオ出力処理部２０への電源供給の開始を指示し、ビデオ出力処理部２０の制御を開始する。更に、ＨＭＤ３０の表示器３２への電力供給も開始するようにＨＭＤ制御部３５に指示する。【００５１】
一方、ビデオ入力処理部１８は制御部１２による制御対象から外され、制御部１２は電源回路１７へ、ビデオ入力処理部１８に対する電力供給の停止の指示を行う。
このようにして、ＨＭＤ３０の表示器３２の駆動に必要な各部の制御及び電力供給を開始する。
一方、表示器３２の駆動により、表示に必要の無い部分への制御及び電力供給は停止させている。例えば、ＨＭＤ３０が可視状態に移行した直後、制御部１２は、ＨＭＤ３０の表示器３２に対し、操作メニューを表示させる。このときには、表示部１６に対する操作メニューの表示は不要になるので、その表示部１６を自動的に駆動停止（電力供給を停止）にする。或いは、制御部１２は、表示部１６を自動的に駆動停止にする代わりに、或る特段の操作がなされたタイミングで表示部１６を駆動停止にしてもよい。【００５２】
ところで、操作に関しても次のように変化する。今まで操作が受け付けられない又は入力指示不可能となっている音声付き映像コンテンツおよび画像コンテンツの再生操作やＨＭＤ３０の表示器３２への各種調整が可能となるように、操作メニューの表示が変化する。もちろん、この際には音声コンテンツの再生操作や音に関する各種調整は実行できるようになっている（以上、可視状態へ移行したときの動作）。【００５３】
このように本実施形態では、ＨＭＤの表示器３２が可視状態なのか、不可視状態かによって、再生可能なコンテンツが制限されたり、操作・制御できる項目が制限されたりしている。それゆえ、ユーザは現在の各デバイスの状態において、不適当な操作を選ぶことが無くなり、無駄な操作の実行を防ぐことが可能となる。もちろん、誤操作の防止にも役立つ。【００５４】
次に、ＨＭＤ３０の表示器３２が可視状態であるときに、ＨＭＤ３０が可聴状態と不可聴状態との間で変化したときの制御部１２の動作を説明する。
（ＨＭＤ３０が可聴状態から不可聴状態へ移行したときの制御部１２の動作）
ＨＭＤ３０内のボリュームが「０」以外に設定された状態から、ＨＭＤ３０内のボリュームが出力が「０」に設定されたとき、ＨＭＤ制御部３５は操作部３４の操作内容からそれを検出すると、その情報を制御部１２に送信する。制御部１２はそれを受けて、音声出力に関する部分を制御対象から外す。具体的には、音声出力処理部２１の駆動停止及び電源回路１７へ音声出力処理部２１への電力供給の停止を行なう。そして、停止が確認された部分を制御対象から外す。これらの制御により、消費電力の低減と制御部１２の負荷の低減が達成する。【００５５】
更に、制御部１２は、音声入力処理部１９への電力供給を開始するように電源回路１７へ指示し、そして、制御部２０は音声入力処理部１９の制御を開始する。このようにして、録音可能状態にしておくことで、音声を聴取していない状態では、音声が記録できるように制御している。
また、次のような制御も制御部１２が行なう。操作部１３へ入力された操作のうち、デイスプレイアーム６４への繰り出し操作、映像コンテンツの再生操作、画質及び明るさ調整操作、表示部１６への表示に関する操作などを受け付け、一方、ヘッドホン３３Ｌ，３３Ｒに出力される信号を扱う各部の操作を受け付けないようになっている。具体的には、音質に関する調整や、音声コンテンツの再生操作が実行不可能又は入力指示不可能となるように、操作部１３、３４の機能や表示部１６に表示する操作メニューの表示（内容）を変えている。【００５６】
（ＨＭＤ３０が不可聴状態から可聴状態へ移行したときの制御部１２の動作）
一方、反対にボリュームを上げて、ヘッドホンから音声出力ができるようになった状態にした場合には、先のように音声出力処理部２１の電力供給が開始され、制御部１２による音声出力処理部２１の制御が行なわれる。また、音声コンテンツの選択や音質に関する調整も行なえるように操作メニューの内容が変更される。なお、音声入力処理部１９については、駆動が停止され電力供給が実施されないように電源回路１７が制御される（以上、可聴状態へ移行したときの動作）。【００５７】
このように、本実施形態では、ＨＭＤ３０の各部の駆動状況に応じてターミナル１０が制御されることにより、無駄な電力消費を低減し、かつユーザに不要な操作を選択させる可能性を少なくすることができる。
なお、本実施形態の制御部１２は、ＨＭＤ３０の可視状態と不可視状態との判別を、操作部３４の操作内容に基づき行ったが、ディスプレイアーム６４の位置検出用のセンサ（上述）の出力に基づき行ってもよい。【００５８】
また、本実施形態のＨＭＤ３０は、ディスプレイアーム６４の繰り出しおよび収納がモータによって電動化されていたが、手動で行われることとしてもよい。その場合であっても、ディスプレイアーム６４の駆動部分にポジションセンサ（メカニカルスイッチなどが利用可能）を設ければ、上述した説明と同様に、可視状態と不可視状態とを判別することが可能となる。【００５９】
［第二の実施形態］
次に、第二の実施形態として、ターミナル１０がクレードル４０に接続されたときの制御を説明する。ここでは、第一の実施形態との相違点のみ説明する。
制御部１２は、ターミナル１０がクレードル４０に接続されたかどうかを所定の頻度で識別する。なお、接栓１０Ｐに図示されていないメカニカルスイッチを設け、クレードル４０の接栓座４１Ｊが接栓１０Ｐに接続されると、メカニカルスイッチがＯＮとなり、接続されたか否かを示す二値情報の論理値の変化として識別される。【００６０】
また、制御部１２は、ターミナル１０がクレードル４０に接続されたことを識別すると、被接続デバイスがＨＭＤ３０である場合には、以下の処理の何れかを行う。
〔１〕ＨＭＤ制御部３５と連係することによって、ディスプレイアーム６４が案内部材６５Ｇに沿って収納ケース６５の内部に自動的に収納し、表示器３２を退避させるようにモータ６５Ｍを制御する。さらに、ディスプレイアーム６４が収納ケース６５の内部に収納（退避）されたことを上述したセンサを介して識別すると、モータ６５Ｍを停止し、モータ６５Ｍへの電力の供給を取り止める。
〔２〕また、モータ６５Ｍによるディスプレイアーム６４の収納の前に、信号処理部１４を介して表示部１６、表示器３２およびヘッドホン３３Ｌ、３３Ｒの全てまたは一部を介してユーザに、画像情報や音声情報のメッセージとして、「表示器３２を退避させて下さい」との通知を行う。さらに、ディスプレイアーム６４が収納ケース６５の内部に収納（退避）されたことを上述したセンサおよび退避制御部３５を介して識別すると、このメッセージの出力を取り止める。【００６１】
すなわち、ユーザが行うターミナル１０の「取り扱い」に応じて、そのターミナル１０にクレードル４０が接続されると、ディスプレイアーム６４は収納ケース６５の内部に自動的に収納（退避）される。あるいはこのような収納（退避）にかかわる操作が自動的にユーザに促される。
したがって、本実施形態によれば、収納ケース６５にディスプレイアーム６４が収納（退避）されない状態が長時間継続することがないので、ディスプレイアーム６４や表示器３２に人体その他の物体が接触して発生する故障の可能性とが大幅に少なくなる。【００６２】
更に、ディスプレイアーム６４が収納され、表示器３２が不可視状態になったことで、先の第一の実施形態で述べたように、制御部１２は、表示器３２へ映像信号出力に関する部分を制御対象から外す。具体的な動作は、第一の実施形態と同じなので、ここでの説明は省略する。
なお、クレードル４０に接続された際には、ターミナル１０への記録（録音や録画）や充電であるケースが多いので、自動的にヘッドホン３３Ｌ、３３Ｒへの音声出力も停止するような制御を行なっても良い。【００６３】
しかしながら、音声出力については、操作部１３やリモコンの操作部５２の操作により、出力できるようにすることが好ましい。例えば、クレードル４０にターミナル１０を接続させながら、聴取や視聴したい要望をかなえるためには、少なくとも音声出力の操作は可能にし、更にディスプレイアーム６４を収納ケース６５から引き出す操作を更に行なうことで、映像出力を表示器３２に表示できるようにすることが好ましい。【００６４】
なお、本実施形態では、例えば、ターミナル１０にＨＭＤ３０（既述のｈｍｄとｈｍｄ・ｈｐとの何れであってもよい。）が接続された状態でそのターミナル１０とクレードル４０との接続が解除されたことが検出されたときには、制御部１２が主導的に応答し、ディスプレイアーム６４を収納ケース６５に対する収納（退避）を、自動的に解除してもよい。【００６５】
ところで、ターミナル１０は、クレードル４０に接続されると、「録画モード」、「録音モード」、「録画・録音モード」の何れかのモードに自動的に移行しても良い。
本実施形態によれば、クレードル４０を介してターミナル１０の内部に録画や録音を行うためにユーザが行う操作が大幅に簡略化される。
なお、「録音モード」と「録画・録音モード」とにおいて記憶部１５にコンテンツとして蓄積されるファイルの形式は、例えば、所定の拡張子で示されるＭＰ３形式とＭＰＥＧ２−ＡＡＣ(Advanced Audio Coding）形式とであることが望ましいが、既述のマンマシンインタフェースに基づいて別途設定され、あるいは選択されてもよい。【００６６】
さらに、本実施形態では、ビデオ出力処理部２０や音声出力処理部２１は、被接続デバイスに応じて設定等の駆動が停止される場合には、動作と駆動電力の供給との双方または何れか一方が規制されてもよい。
［第一の実施形態および第二の実施形態の補足］
なお、上述した各実施形態では、被接続デバイスおよびクレードル４０とターミナル１０との接続と、その被接続デバイスの構成あるいは状態との検出は、既述の第一ないし第四の二値情報の論理値に基づいて行われている。しかし、このような検出は、以下の何れに基づいて実現されてもよく、かつ被接続デバイスおよびクレードル４０とターミナル１０との如何なる機能分散の下で実現されてもよい。
(1) 接栓座１０Ｊの何れかのピンを介して被接続デバイスに接続される布線の電位やインピーダンス
(2) その布線を介して被接続デバイスから引き渡される情報
(3) この布線を介して行われる被接続デバイスとの連係の手順
(4) クレードル４０からビデオ入力処理部１８や音声入力処理部１９に入力される画像信号や音声信号の有無あるいはレベル
(5) 接栓１０Ｐの何れかのピンを介してクレードル４０に接続される布線の電位やインピーダンス
(6) その布線を介してクレードル４０から引き渡される情報
(7) この布線を介して行われるクレードル４０との連係の手順
また、上述した各実施形態では、制御部１２は、被接続デバイスから引き渡される既述の第一ないし第三の二値情報の論理値に基づいて識別される被接続デバイスの構成（種別）を勘案しつつ、ユーザによって与えられた指示に基づいて実効デバイス（被接続デバイスの有効な要素）を識別している。しかし、このような実効デバイスは、既述の第一ないし第三の二値情報（これらの二値情報と共にターミナル１０に引き渡される所定の数の二値情報が含まれてもよい。）の組み合わせとして、制御部１２によって直接識別されてもよい。前記二値情報は、ＨＭＤ３０において操作部３４を介して行われた操作に応じて変化し、その操作部３４によって接続検出部１１に引き渡される。【００６７】
また、記録モードの際には、クレードルに入力されている信号を検出して、その信号の適性に応じて、適当なファイルフォーマットで記録できるように信号処理部１４が行なっても良い。
また、本発明の実施形態の一例として、制御部１２で行なっていた上述の機能を情報端末（例えば、パーソナルコンピュータ）で行なっていても良い。その場合、クレードル４０の制御入出力端子とパーソナルコンピュータとが接続されることになる。また、その際には、所定のソフトウェアがそのパーソナルコンピュータにインストールされる。このソフトウェアは、上述の制御部１２で行なっていたプログラムをパーソナルコンピュータで操作するものである。なお、クレードル４０とパーソナルコンピュータとの接続は、ＵＳＢ（登録商標）やＦｉｒｅ  ｗｉｒｅ（登録商標）などのシリアルバスで行っても良い。その際、音楽データや映像データなどの同一端子からやり取りすることが可能となり、もちろんターミナル１０の制御も同一端子からやり取り可能である。【００６８】
さらに、上述した各実施形態では、実効デバイスその他の条件に基づく稼働や操作の許否と、駆動電力の断続と、再生可能なコンテンツの切り替えとの設定は、被接続デバイスに備えられた対応する回路に対して行われてもよい。
また、本発明は、上述した実施形態に限定されるものではなく、本発明の範囲において多様な実施形態が可能であり、かつ構成装置の全てまたは一部に如何なる改造が施されてもよい。【００６９】
［第三の実施形態］
以下、図面に基づいて本発明の第三の実施形態について詳細に説明する。ここでは、第一の実施形態との主な相違点を説明する。主な相違点は、制御部１２の動作にあるが、この説明では、説明に関係しない部分が省略された図３を用いる。図３において、点線で示すのは、制御部１２から各部へ与えられる制御信号の経路である。【００７０】
また、図３に示すＨＭＤ３０には、メカスイッチ（メカニカルスイッチ）３６が備えられている。メカスイッチ３６は、例えば、ディスプレイアーム（図２符号６４）が繰り出され、可視状態が確保されたときにのみオンされるものであり、ディスプレイアームが退避又は収納されるとオフされる。このメカスイッチ３６は、例えば、収納ケース（図２符号６５）の内部に設けられる。【００７１】
ＨＭＤ制御部３５は、このメカスイッチ３６の出力に基づき、ＨＭＤ３０が可視状態にあるか否かを示す信号（ステータス信号）を生成し、それをターミナル１０の制御部１２へ所定の頻度で送信する。制御部１２は、このステータス信号を受信し、ＨＭＤ３０が可視状態にあるか否かをモニタする。
また、ターミナル１０の記憶部１５には、音声情報と画像情報（動画像情報）とを含む音声付き映像コンテンツＤmovieと、音声情報のみを含む音声コンテンツＤaudioと、画像情報（静止画像情報）のみを含む画像コンテンツＤphotoとが格納される。【００７２】
また、ターミナル１０の制御部１２は、操作部１３の操作内容に応じて、ターミナル１０のモードを各種のモードに切り替える。
本実施形態のモードには、複数種類の再生モード、すなわち、音声付き映像コンテンツＤmovieの再生が可能な「ムービーモード」と、音声コンテンツＤaudioの再生が可能な「オーディオモード」と、画像コンテンツＤphotoの再生が可能な「フォトモード」とがある。【００７３】
また、本実施形態のモードには、ユーザがこれら複数種類の再生モードのうち１つを選択してターミナル１０へ設定するための「設定モード」もある。なお、この設定モードにおいてユーザが設定可能なモードの１つに、「記録モード」が用意されていてもよい。記録モードは、情報端末から入力される各種のコンテンツを記憶部１５へと記録可能なモードである。【００７４】
次に、本実施形態の制御部１２の動作を説明する。
図４は、本実施形態の制御部１２の動作フローチャートである。
図４に示すとおり、制御部１２は、ステータス信号によりＨＭＤ３０が可視状態にあるか否かを判別する（ステップＳ１１）。
可視状態と判別された場合（ステップＳ１１ＹＥＳ）、制御部１２は、設定モード用の操作メニューをＨＭＤ３０の表示器３２に対し表示する（ステップＳ１２）。このとき、信号処理部１４は、制御部１２の指示の下、その操作メニューを表示するための画像信号を生成し、それをビデオ出力処理部２０へ与える。設定モード用の操作メニューの詳細は、後述する。【００７５】
また、ステップ１２と略同じタイミングで、制御部１２は、ターミナル１０の操作部１３に対し、設定モード用の機能を割り付ける（ステップＳ１３）。設定モード用の機能の詳細は、後述する。これによって、ターミナル１０が、設定モードとなる。この設定モードにおいて、ユーザは、ターミナル１０の操作部１３を操作し、ターミナル１０を所望の再生モードに設定することができる（ステップＳ１４）。【００７６】
さらに、制御部１２は、ＨＭＤ３０が可視状態にあるか否かの判別を続ける（ステップＳ１５）。
そして、ＨＭＤ３０が可視状態から不可視状態へと移行すると（ステップＳ１５ＮＯ）、制御部１２は、オーディオモードの操作メニューをターミナル１０の表示部１６に対し表示する（ステップＳ１６）。このとき、信号処理部１４は、制御部１２の指示の下、その操作メニューを表示するための画像信号を生成し、それを表示器１６へ与える。オーディオモードの操作メニューの詳細は、後述する。【００７７】
また、ステップＳ１６と略同じタイミングで、制御部１２は、ターミナル１０の操作部１３に対し、オーディオモード用の機能を割り付ける（ステップＳ１７）。オーディオモード用の機能の詳細は、後述する。これによって、ターミナル１０がオーディオモードとなる。このオーディオモードにおいて、ユーザは、ターミナル１０の操作部１３を操作し、音声コンテンツの再生を行うことができる（ステップＳ１８）。【００７８】
さらに、制御部１２は、ＨＭＤ３０が可視状態にあるか否かの判別を続ける（ステップＳ１９）。
そして、ＨＭＤ３０が不可視状態から可視状態へと移行すると（ステップＳ１９ＹＥＳ）、制御部１２は、ステップＳ１２に戻り、ターミナル１０を設定モードへと移行させる。【００７９】
なお、消費電力節減のため、制御部１２は、ＨＭＤ３０が可視状態にある期間（ステップＳ１１，Ｓ１５，Ｓ１９の判別がＹＥＳとなる期間）には、ターミナル１０の表示部１６に対する電力供給を停止する。電力供給の停止動作等に関しては、第一の実施形態において説明したとおりである。
また、消費電力節減のため、制御部１２は、ＨＭＤ３０が不可視状態にある期間（ステップＳ１１，Ｓ１５，Ｓ１９の判別がＮＯとなる期間）には、ＨＭＤ３０の表示器３２に対する電力供給を停止する。電力供給の停止動作等に関しては、第一の実施形態において説明したとおりである。【００８０】
次に、ＨＭＤ３０が可視状態へ移行したときの本実施形態の動作を、ユーザ側から見た動作として説明する。
図５は、ＨＭＤ３０が可視状態にあるときの様子を示す図である。図５の左側に示すのが、ターミナル１０の正面図であり、図５の右側に示すのが、ＨＭＤ３０の表示器３２に表示される表示画面３２Ａである。ターミナル１０の前面には、表示部１６と共に、操作部１３として、決定釦１３ａ、上釦１３ｂ、下釦１３ｃ、左釦１３ｄ、右釦１３ｅが配置される。【００８１】
図５（ａ）は、ＨＭＤ３０が不可視状態から可視状態へと移行した直後の様子である。
このとき、ターミナル１０は設定モードになるので、ＨＭＤ３０の表示画面３２Ａには、設定モード用の操作メニューＩmodeが表示される。また、省電力のため、ターミナル１０の表示部１６はオフされる。操作メニューＩmodeには、各種の再生モードの項目、すなわち、ムービーモードの項目と、オーディオモードの項目と、フォトモードの項目とが並べて配置されている。ここでは、その配置方向を、ユーザから見た縦方向とした。また、操作メニューＩmodeには、何れか１つの項目を指し示すカーソルＩｃ（短冊型のカーソル）も配置されている。【００８２】
この設定モードでは、ターミナル１０の上釦１３ｂおよび下釦１３ｃに、操作メニューＩmodeのカーソルＩｃの指示先を変更する機能（スクロール機能）が割り付けられる。また、ターミナル１０の決定釦１３ａには、カーソルＩｃが指し示している再生モードにターミナル１０を設定する機能が割り付けられる。このような操作部１３の機能が、設定モード用の機能である。【００８３】
したがって、例えば、図５（ａ）に示すように、カーソルＩｃの指示先がムービーモードの項目であるときにユーザが決定釦１３ａを押下すると、ターミナル１０がムービーモードに移行する。
図５（ｂ）は、ムービーモードに移行した直後の様子を示す。
このとき、ＨＭＤ３０の表示画面３２Ａには、ムービーモード用の操作メニューＩmovieが表示され、ターミナル１０の表示部１６はオフされたままである。操作メニューＩmovieには、記憶部１５に格納されている音声付き映像コンテンツの各タイトル（タイトル１，タイトル２，タイトル３，…）の項目が並べて配置されている。ここでは、その配置方向を、ユーザから見た縦方向とした。また、操作メニューＩmovieには、何れか１つのタイトルを指し示すカーソルＩｃも配置されている。【００８４】
このとき、ターミナル１０の上釦１３ｂおよび下釦１３ｃには、そのカーソルＩｃを上下に移動させる機能が割り付けられる。また、ターミナル１０の右釦１３ｅには、カーソルＩｃが指し示しているタイトルの再生を開始する機能が割り付けられる。
したがって、例えば、図５（ｂ）に示すように、カーソルＩｃの指示先がタイトル１であるときにユーザが右釦１３ｅを押下すると、タイトル１に対応する音声付き映像コンテンツが記憶部１５から読み出され、その再生が開始される（再生の方法については、第一の実施形態で説明したとおりである。）。図５（ｃ）には、タイトル１の再生が開始されたときの様子を示した。【００８５】
次に、ＨＭＤ３０が不可視状態に移行したときの本実施形態の動作を、ユーザ側から見た動作として説明する。
図６は、ＨＭＤ３０が不可視状態にあるときの様子を示す図である。
図６（ａ）は、ＨＭＤ３０が可視状態から不可視状態へと移行した直後の様子である。
このとき、ターミナル１０はオーディオモードになるので、ターミナル１０の表示部１６には、オーディオモード用の操作メニューＩaudioが表示される。また、省電力のため、ＨＭＤ３０の表示画面３２Ａはオフされる。操作メニューＩaudioには、記憶部１５に格納されている音声コンテンツの各タイトル（タイトル７，タイトル８，…）の項目が並べて配置されている。ここでは、その配置方向を、ユーザから見た縦方向とした。また、操作メニューＩaudioには、何れか１つのタイトルを指し示すカーソルＩｃも配置されている。【００８６】
このとき、ターミナル１０の上釦１３ｂ及び下釦１３ｃには、操作メニューＩaudioのカーソルＩｃの指示先を変更する機能（スクロール機能）が割り付けられる。また、ターミナル１０の右釦１３ｅには、カーソルＩｃが指し示しているタイトルの再生を開始する機能が割り付けられる。また、ターミナル１０の左釦１３ｄには、そのタイトルの巻き戻しをする機能が割り付けられる。このような操作部１３の機能が、オーディオモード用の機能である。【００８７】
したがって、例えば、図６（ａ）に示すように、カーソルＩｃの指示先がタイトル７を示しているときにユーザが右釦１３ｅを押下すると、タイトル７に対応する音声コンテンツが記憶部１５から読み出され、その再生が開始される（再生の方法については、第一の実施形態で説明したとおりである。）。図６（ｂ）には、タイトル７の再生が開始された様子を示した。【００８８】
以上、本実施形態のターミナル１０は、ＨＭＤ３０が不可視状態から可視状態へ移行したときには、設定モードへ移行するが、その反対に、ＨＭＤ３０が可視状態から不可視状態へ移行したときには、設定モードをスキップして自動的にオーディオモードへと移行し、操作部１３の機能を、音声コンテンツの再生に関する機能のみに制限する。これによって、画像を含むコンテンツの再生に関する機能、すなわち、音声付き画像コンテンツおよび画像コンテンツの再生に関する機能は、排除される。【００８９】
ここで、ユーザが、電車やバスなどの車中でＨＭＤ３０を頭部へ装着し、音声付き映像コンテンツを鑑賞していることを想定する。このとき、ＨＭＤ３０は可視状態にあり、ターミナル１０は、ムービーモードに設定されている。このユーザが降車すると、そのタイミングでＨＭＤ３０のディスプレイアーム６４を退避させることが多い。なぜなら、歩行中に画像を鑑賞するのは危険だからである。そのとき、本実施形態のターミナル１０は、オーディオモードへ自動的に移行する。したがって、ユーザは、簡単な操作をするだけで音声コンテンツの再生を即座に開始することができる。【００９０】
なお、本実施形態では、ターミナル１０が自動的にオーディオモードへ移行したときには、現在のモードがオーディオモードであることをユーザに通知する必要がある。そのために、制御部１２は、少なくとも自動的にオーディオモードへ移行したときには、モード情報を表示部１６へ表示することが望ましい（図６（ａ）参照）。図６（ａ）では、モード情報を、「Ａｕｄｉｏ」という文字情報とした。また、オーディオモードに移行したことを、音声にて通知してもよい。【００９１】
また、本実施形態の制御部１２は、少なくとも音声コンテンツの再生履歴を作成し、ターミナル１０が自動的にオーディオモードへ移行したときに、その再生履歴に基づき動作することが望ましい。
例えば、制御部１２は、図６（ａ）に示す操作メニューＩaudioにおいて、カーソルＩｃの指示先を、最近（最も近い過去）に再生されたタイトルとする。そうすれば、ユーザは、ターミナル１０が自動的にオーディオモードへ移行した後、右釦１３eを押下するだけで、最近に再生されたタイトルを即座に再生することができる。【００９２】
また、例えば、制御部１２は、図６（ａ）に示す操作メニューＩaudioにおいて、カーソルＩｃの指示先を、最も再生回数の多いタイトルとしてもよい。或いは、ランダムに選択されたタイトルとしてもよい。或いは、再生回数で重み付けした上でランダムに選択されたタイトルとしてもよい。
また、例えば、制御部１２は、図６（ａ）に示す操作メニューＩaudioにおいて、カーソルＩｃの指示先を、最近の日付の同じ時間帯に再生されたタイトルとしてもよい。このようなターミナル１０の機能は、ユーザが毎日決まった時間帯に決まった動作をするような場合（例えば、電車通勤やバス通勤する場合）に便利である。【００９３】
なお、本実施形態において、ターミナル１０がオーディオモードへ自動的に移行する機能（自動移行機能）については、その発現の有無をユーザが予め設定可能であることが望ましい。なぜなら、音声付き映像コンテンツの鑑賞中にディスプレイアーム６４を退避したとしても、そのコンテンツの音声だけを楽しみたいというユーザもいるからである。
また、本実施形態のターミナル１０は、モードの自動移行を、ＨＭＤ３０が可視状態にあるか否かに応じて行ったが、ＨＭＤ３０が可聴状態にあるか否かに応じて行ってもよい。【００９４】
なお、図３に示した構成において、ＨＭＤ３０が可聴状態にあるか否かは、ＨＭＤ３４の操作部３４の操作内容（ボリュームに関する操作内容）からＨＭＤ制御部３５が認識する。ＨＭＤ３４は、ＨＭＤ３０が可聴状態にあるか否かを示す信号（ステータス信号）を生成し、それをターミナル１０の制御部１２へ所定の頻度で送信する。制御部１２は、そのステータス信号を受信し、ＨＭＤ３０が可聴状態にあるか否かをモニタする。【００９５】
ＨＭＤ３０が可聴状態にあるか否かのみに応じてモードの自動移行を行う場合、制御部１２は、以下のとおりに動作すればよい。
・ＨＭＤ３０が可聴状態に移行したとき→設定モードへ移行。
・ＨＭＤ３０が不可聴状態に移行したとき→フォトモードへ移行。
また、ＨＭＤ３０が可視状態にあるか否かと可聴状態にあるか否かとの双方に応じてモードの自動移行を行う場合、制御部１２は、以下のとおりに動作すればよい。
・ＨＭＤ３０が可視状態かつ可聴状態に移行したとき→設定モードへ移行。
・ＨＭＤ３０が可視状態かつ不可聴状態に移行したとき→フォトモードへ移行。
・ＨＭＤ３０が不可視状態かつ可聴状態に移行したとき→オーディオモードへ移行。
・ＨＭＤ３０が不可視状態かつ不可聴状態に移行したとき→記録モードへ移行。【００９６】
なお、本実施形態は、第一の実施形態の変形例であるが、第二の実施形態を同様に変形してもよい。
［第四の実施形態］
以下、図面に基づいて本発明の第四の実施形態について詳細に説明する。ここでは、第三の実施形態との主な相違点を説明する。主な相違点は、制御部１２の動作、特に、音声付き映像コンテンツが再生されているときの制御部１２の動作にある。【００９７】
図７は、本実施形態の制御部１２のムービーモード中の動作フローチャートである。
図７に示すとおり、ムービーモードでは、制御部１２は、操作部１３の操作内容により再生指示が入力されたことを認識すると（ステップＳ２１ＹＥＳ）、記憶部１５に格納されている音声付き映像コンテンツの再生を開始するよう信号処理部１４へと指示を与える（ステップＳ２２）。【００９８】
その再生中、制御部１２は、ＨＭＤ３０が可視状態にあるか否かをモニタし（ステップＳ２３）、可視状態にある限りは（ステップＳ２３ＹＥＳ）、その再生を継続させる。
その後、ＨＭＤ３０が可視状態から不可視状態へと移行すると（ステップＳ２３ＮＯ）、制御部１２は、その再生を停止するよう信号処理部１４に対し指示を与えると共に（ステップＳ２４）、そのときの再生位置（記憶部１５の読み出し位置）を記憶する（ステップＳ２５）。なお、この記憶は、制御部１２の代わりに信号処理部１４が行ってもよい。また、このとき、信号処理部１４による記憶部１５の読み出し動作（再生動作）は停止されるが、信号処理部１４に対する電力供給は、継続される。【００９９】
その停止中、制御部１２は、ＨＭＤ３０が可視状態にあるか否かをモニタし（ステップＳ２６）、不可視状態にある限りは（ステップＳ２６ＮＯ）、その停止状態を継続させる。
その後、ＨＭＤ３０が不可視状態から可視状態へと移行すると（ステップＳ２６ＹＥＳ）、制御部１２は、前記記憶された再生位置から音声付き映像コンテンツの再生を再開するよう信号処理部１４へと指示を与え（ステップＳ２７）、ステップＳ２３へ戻る。【０１００】
したがって、本実施形態のターミナル１０は、音声付き映像コンテンツの再生中にＨＭＤ３０が可視状態から不可視状態へ移行すると、その再生を自動的に停止する。その後、ＨＭＤ３０が不可視状態から可視状態へ移行すると、その停止位置から再生を自動的に再開する。
したがって、本実施形態のユーザは、音声付き映像コンテンツの鑑賞中、ディスプレイアーム６４を退避させるだけで、そのコンテンツの再生を停止させることができる。その後、ユーザは、ディスプレイアーム６４を繰り出すだけで、そのコンテンツを停止位置から再び鑑賞することができる。【０１０１】
また、本実施形態では、その停止中に、信号処理部１４の再生動作が停止するので、ターミナル１０内の回路の演算負荷が低減され、消費電力も或る程度抑えることができる。
なお、本実施形態の制御部１２は、音声付き映像コンテンツの停止期間（ステップＳ２３ＮＯ、ステップＳ２６ＮＯ）に、ポーズ画面の表示（停止時点に表示されていた画像の継続表示）を行ってもよい。このとき、信号処理部１４は、制御部１２の指示の下、ポーズ画面用の画像情報をビデオ出力処理部２０へ連続的に送出する。この画像情報は、停止時点のタイミングでビデオ出力処理部２０へ送出されたのと同じ画像情報である。【０１０２】
また、本実施形態の制御部１２は、再開時の再生位置を、記憶された再生位置と同じに設定したが、記憶された再生位置より若干前（数秒前）に設定してもよい。この設定によると、音声付き映像コンテンツの一部をユーザが見逃す可能性がさらに少なくなり、再開時にコンテンツのつながりをユーザに思い出させることが可能である。
また、本実施形態の制御部１２は、ＨＭＤ３０が不可視状態から可視状態へ移行した直後に再生の再開を行ったが、移行の直後には待機し、その後、操作部１３を介してユーザが再開の指示を入力した時点で再生の再開をうこととしてもよい。【０１０３】
また、本実施形態の制御部１２は、第一の実施形態と同様、ＨＭＤ３０が不可視状態にある期間（ステップＳ２３ＮＯ、ステップＳ２６ＮＯ）に限り、ＨＭＤ３０の表示器３２に対する電力供給を停止してもよい。但し、その場合は、ＨＭＤ３０が不可視状態から可視状態へ移行した直後（ステップＳ２６ＹＥＳ）、表示器３２の動作が即座には安定しない可能性があるので、制御部１２は、再生の再開を、表示器３２の動作が安定するのを待ってから行うとよい。【０１０４】
また、本実施形態の制御部１２は、ＨＭＤ３０が可視状態から不可視状態へと移行したとき（ステップＳ２３ＮＯ）に音声付き映像コンテンツの再生を停止させたが（ステップＳ２４）、画像の再生を継続したまま再生位置の記憶（ステップＳ２５）のみを行ってもよい。その場合、ＨＭＤ３０が可視状態へと移行したときに（ステップＳ２６ＹＥＳ）、記憶した再生位置から改めて再生が行われる。その場合、制御部１２の動作フローチャートは、図８に示すとおりになる。図８の動作フローチャートは、図７のステップＳ２４を省略したものに相当する。【０１０５】
なお、本実施形態において、ターミナル１０が音声付き映像コンテンツの再生中に再生位置を制御する機能（再生位置の制御機能）については、その発現の有無をユーザが予め設定可能であることが望ましい。
また、本実施形態の再生位置の制御機能は、音声付き映像コンテンツの再生中に、ＨＭＤ３０が可視状態にあるか否かに応じて再生位置を制御するものであったが、以下のような再生位置の制御機能も実現可能である。
（１）音声付き映像コンテンツの再生中に、ＨＭＤ３０が可聴状態にあるか否かに応じて再生位置の制御を行うもの（なお、ＨＭＤ３０が可聴状態にあるか否かの検出は、例えば、第三の実施形態にて説明したとおりに行われる。）。
（２）音声コンテンツの再生中に、ＨＭＤ３０が可聴状態にあるか否かに応じて再生位置の制御を行うもの。【０１０６】
また、本実施形態は、第三の実施形態の変形例であったが、第一の実施形態又は第二の実施形態を同様に変形してもよい。
［第五の実施形態］
以下、図面に基づいて本発明の第五の実施形態（コンテンツ再生システム）について詳細に説明する。【０１０７】
図９は、第五の実施形態の電気的構成を示す図である。図９に示すとおり、本実施形態の主な特徴は、第２の被接続デバイスを接続するための接続部７９がターミナル１０に設けられた点にある。接続部７９に接続される被接続デバイスは、図９に示すようなＤＶＤプレーヤ８０や、不図示のテレビチューナーや、不図示のディジタルカメラなどである。ここでは、接続対象がＤＶＤプレーヤ８０である場合を代表して説明する。【０１０８】
ＤＶＤプレーヤ８０は、接続部８４を介してターミナル１０の接続部７９に接続可能である。ＤＶＤプレーヤ８０は、音声コンテンツを格納したコンパクトディスクや、画像コンテンツを格納したコンパクトディスクや、音声付き映像コンテンツを格納したＤＶＤなどの各種のディスクを再生することが可能である。
ＤＶＤプレーヤ８０には、ＤＶＤプレーヤ８０の識別情報を示すプレーヤフラッグ８２が設けられる。ターミナル１０の制御部１２は、ターミナル１０の接続部７９にＤＶＤプレーヤ８０が接続されると、接続部７９を介してプレーヤフラッグ８２を参照し、被接続デバイスの種類（ここではＤＶＤプレーヤ８０）を認識する。なお、ターミナル１０の接続部７９にはメカニカルスイッチなどが設けられており、制御部１２は被接続デバイスの接続の有無をメカニカルスイッチの出力信号によって検出する。【０１０９】
ＤＶＤプレーヤ８０には、ディスクを挿入可能なＤＶＤドライブ部８１が搭載される。ＤＶＤプレーヤ８０の制御部８３は、ＤＶＤドライブ部８１に挿入されたディスクを識別すると共に、そのディスクのコンテンツリストを取得し、ディスク内のコンテンツに画像が含まれるか否かを判別することもできる（なお、ここでいう画像には映像も含まれるものとする。）。制御部８３は、ディスクのコンテンツリストと画像の有無を示す情報（画像有無情報）とを接続部８４を介してターミナル１０へ与える。ＤＶＤドライブ部８１は、ディスクに格納されたコンテンツを再生してコンテンツの信号を生成し、それを接続部８４を介してターミナル１０へ供給する。【０１１０】
ターミナル１０に与えられるコンテンツリスト及び画像有無情報は、制御部１２によって認識され、ターミナル１０に与えられるコンテンツの信号は、信号処理部１４へ入力される。
次に、ターミナル１０の制御部１２の動作手順を説明する。なお、ここではＨＭＤ３０が可視状態にあることを前提とする。【０１１１】
制御部１２は、接続部７９に被接続デバイスが接続されたことを検知すると、プレーヤフラッグ８２を参照し、被接続デバイスの種類（ここではＤＶＤプレーヤ８０）を認識する。そして、制御部１２は、ＤＶＤプレーヤ８０からコンテンツリスト及び画像有無情報を受信する。
但し、ＤＶＤドライブ部８１にディスクが挿入されていない場合、これらの情報はＤＶＤプレーヤ８０から送信されることはないので、制御部１２はターミナル１０を待ち受け状態にする。【０１１２】
待ち受け状態では、制御部１２は記憶部１５に関する操作メニュー（＝記憶部１５に格納されたコンテンツのコンテンツリスト）を表示する。この操作メニューの表示先は、ＨＭＤ３０の表示器３２、又はターミナル１０の表示部１６である。なお、表示器３２へ操作メニューを表示させる方法、表示部１６へ操作メニューを表示させる方法は前述したとおりである。また、このとき操作釦１３に割り当てられる機能は、記憶部１５に格納されたコンテンツの再生に関する機能となる。【０１１３】
その後、ＤＶＤドライブ部８１にディスクが挿入されると、制御部１２は、ＤＶＤプレーヤ８０から送出されるコンテンツリスト及び画像有無情報を受信すると共に、その画像有無情報に基づき、ディスク内のコンテンツに画像が含まれるか否かを判別する。
ディスク内のコンテンツに画像が含まれていた場合、制御部１２は、ディスクに関する操作メニュー（＝ディスクに格納されたコンテンツのコンテンツリスト）をＨＭＤ３０の表示器３２へ表示させると共に、ターミナル１０の表示部１６の電源をＯＦＦする。このとき操作釦１３へ割り当てられる機能は、ディスクに格納されたコンテンツの再生に関する機能となる。【０１１４】
一方、ディスク内のコンテンツに画像が含まれていなかった場合、制御部１２は、ディスクに関する操作メニュー（＝ディスクに格納されたコンテンツのコンテンツリスト）をターミナル１０の表示部１６へ表示すると共に、ビデオ出力処理部２０の駆動を停止する。このときにはＨＭＤ３０の表示器３２には何も表示されない。また、このとき操作釦１３へ割り当てられる機能は、ディスクに格納されたコンテンツの再生に関する機能となる。【０１１５】
以上、本実施形態のターミナル１０は、操作メニューの内容を、被接続デバイス（ここではＤＶＤプレーヤ８０）の駆動状況（ここではディスク挿入の有無）に応じて変化させる。
また、本実施形態のターミナル１０は、被接続デバイス（ここではＤＶＤプレーヤ８０）に関する操作メニューの表示先を、被接続デバイス（ここではＤＶＤプレーヤ８０）から送出されるコンテンツの種類（ここでは画像が含まれるか否か）に応じて変化させる。【０１１６】
このようにターミナル１０が被接続デバイス（ここではＤＶＤプレーヤ８０）の駆動状況に適応した動作をすれば、被接続デバイス（ここではＤＶＤプレーヤ８０）の接続時におけるターミナル１０の操作性は向上する。
なお、本実施形態では、ＨＭＤ３０の駆動状況が不変であることを前提とし、被接続デバイスの駆動状況のみに応じて制御部１２の動作を変化させたが、ＨＭＤ３０の駆動状況と、被接続デバイスの駆動状況との双方に応じて制御部１２の動作を変化させてもよい。但しその場合、ＨＭＤ３０の駆動状況と、被接続デバイスの駆動状況とでは、前者が優先されることが望ましい。【０１１７】
また、本実施形態では、被接続デバイスをＤＶＤプレーヤ８０としたが、コンテンツの信号をターミナル１０へ供給できるのであれば、テレビチューナ、ディジタルカメラ、画像ストレージャなど他の被接続デバイスであってもよい。
ディジタルカメラの場合、例えば、ディジタルカメラの電源のＯＮ／ＯＦＦに応じてターミナル１０を動作させてもよい。このときのターミナル１０側の動作は、例えば次のとおりである。【０１１８】
ディジタルカメラの電源がＯＦＦされていたときには、制御部１２はＨＭＤ３０の表示器３２又はターミナル１０の表示部１６に対し記憶部１５に関する操作メニュー（記憶部１５に格納されたコンテンツのコンテンツリスト）を表示し、ディジタルカメラの電源がＯＮされていたときには、制御部１２はディジタルカメラから供給される画像（スルー画像や撮影画像）をＨＭＤ３０の表示器３２に表示させる。
【図１】
0005272409.tif 000002
【図２】
0005272409.tif 000003
【図３】
0005272409.tif 000004
【図４】
0005272409.tif 000005
【図５】
0005272409.tif 000006
【図６】
0005272409.tif 000007
【図７】
0005272409.tif 000008
【図８】
0005272409.tif 000009
【図９】
0005272409.tif 000010